(57)【要約】【課題】内燃機関の始動直後に、徐励の解除にともなって発生する発電機の駆動トルクの急変を抑え、内燃機関の停止を防止できる発電制御装置を提供することを目的とする。【解決手段】本発明の車両用発電制御装置１は、エンジン始動検出回路１０１と、徐励回路１０６と、徐励解除用コンパレータ１０７と、徐励解除マスク回路１０８とを備えている。エンジン始動検出回路１０１でエンジンの始動を検出した後、徐励回路１０６による最初の徐励中に、徐励解除マスク回路１０８の出力に基づいて、徐励解除用コンパレータ１０７による徐励解除の指示を禁止する。これにより、エンジンの始動直後に徐励の解除にともなって発生する車両用発電機２の駆動トルクの急変を抑え、エンジンの停止を防止できる。【選択図】図１
2006271096.tif 000002
【特許請求の範囲】
【請求項１】
内燃機関によって駆動される発電機の発電電圧が第１所定電圧になるように前記発電機の励磁電流を制御する励磁電流制御手段と、前記励磁電流制御手段が前記励磁電流を変化させるときに前記励磁電流を徐々に変化させる徐励を行う徐励手段と、前記徐励手段による徐励中に前記発電機の発電電圧が前記第１所定電圧より低い第２所定電圧未満になったとき徐励を解除する徐励解除手段とを備えた発電制御装置において、
前記内燃機関の始動を検出する内燃機関始動検出手段と、前記内燃機関始動検出手段が前記内燃機関の始動を検出した後、前記徐励手段による最初の徐励中に、前記徐励解除手段による徐励解除を禁止する徐励解除禁止手段とを有することを特徴とする発電制御装置。
【請求項２】
前記徐励解除禁止手段は、前記発電電圧又は前記励磁電流に基づいて徐励解除の禁止を解除することを特徴とする請求項１に記載の発電制御装置。
【請求項３】
前記徐励解除禁止手段は、前記発電電圧が前記第１所定電圧を超えたとき、徐励解除の禁止を解除することを特徴とする請求項２に記載の発電制御装置。
【請求項４】
前記徐励解除禁止手段は、前記励磁電流が所定電流を超えたとき、徐励解除の禁止を解除することを特徴とする請求項２に記載の発電制御装置。
【請求項５】
前記励磁電流制御手段は、前記励磁電流の導通率を制御することで前記励磁電流を制御し、
前記徐励解除禁止手段は、前記励磁電流の導通率に基づいて前記励磁電流の大きさを判定することを特徴とする請求項４に記載の発電制御装置。
【請求項６】
車両に搭載された前記発電機の励磁電流を制御することを特徴とする請求項１〜５のいずれかに記載の発電制御装置。
【発明の詳細な説明】
【技術分野】
【０００１】
本発明は、発電機を制御する発電制御装置に関する。
【背景技術】
【０００２】
エンジンの駆動力によって走行する車両において、始動直後のエンジンは不安定な状態にある。一方、始動直後には、バッテリの電圧を所定の電圧にするため、車両用発電制御装置は、エンジンによって駆動される車両用発電機の励磁電流を増加させ、発電を開始させる。発電が開始すると、車両用発電機の駆動トルクが増加し、特に寒い朝などには、これが原因でエンジンが始動しきれない可能性がある。これに対し、例えば、始動時に励磁電流を徐々に増加させる徐励を行うことで、車両用発電機の駆動トルクの急激な増加を抑え、始動性を向上させる車両用発電制御装置が一般に知られている。このような車両用発電制御装置では、始動時以外にも、電気負荷が増加したときに、必要に応じて励磁電流を徐々に増加させる徐励を行うが、特開平６−３１１７９８号公報には、始動時以外の徐励に対して、エンジン始動直後の徐励では励磁電流を増やす速度を遅くした車両用発電制御装置が開示されている。
【０００３】
ところで、このような徐励動作中に電気負荷の消費電力が更に増加すると、発電量が抑制されているため、バッテリの電圧が大きく低下し、電気負荷が作動不能になってしまう可能性がある。エンジン制御装置が作動不能になった場合、エンジンが停止してしまう。これに対し、例えば、徐励中にバッテリの電圧が所定電圧以下になると、徐励を解除して励磁電流を急激に増加させ、バッテリの電圧低下を抑える車両用発電制御装置が、特開平９−１０７６４０号公報に開示されている。
【特許文献１】特開平６−３１１７９８号公報
【特許文献２】特開平９−１０７６４０号公報
【発明の開示】
【発明が解決しようとする課題】
【０００４】
ところで、エンジン始動装置の消費電力は非常に大きい。そのため、エンジンの始動時には、バッテリの電圧が大きく低下する。前述した特開平９−１０７６４０号公報に開示されている車両用発電制御装置では、このようなバッテリの電圧低下によって、始動時の徐励中に、その徐励を解除して励磁電流を急激に増加させる。そのため、車両用発電機の駆動トルクの急激な増加によって、不安定な状態にあるエンジンが停止する可能性がある。
【０００５】
本発明は、このような事情に鑑みてなされたものであり、内燃機関の始動直後に、徐励の解除にともなって発生する発電機の駆動トルクの急変を抑え、内燃機関の停止を防止することができる発電制御装置を提供することを目的とする。
【課題を解決するための手段】
【０００６】
そこで、本発明者は、この課題を解決すべく鋭意研究し、試行錯誤を重ねた結果、内燃機関の始動後の最初の徐励中に、徐励の解除を禁止することで、始動時の発電機の駆動トルクの急変を抑えられることを思いつき、本発明を完成するに至った。
【０００７】
すなわち、請求項１に記載の発電制御装置は、内燃機関によって駆動される発電機の発電電圧が第１所定電圧になるように前記発電機の励磁電流を制御する励磁電流制御手段と、前記励磁電流制御手段が前記励磁電流を変化させるときに前記励磁電流を徐々に変化させる徐励を行う徐励手段と、前記徐励手段による徐励中に前記発電機の発電電圧が前記第１所定電圧より低い第２所定電圧未満になったとき徐励を解除する徐励解除手段とを備えた発電制御装置において、前記内燃機関の始動を検出する内燃機関始動検出手段と、前記内燃機関始動検出手段が前記内燃機関の始動を検出した後、前記徐励手段による最初の徐励中に、前記徐励解除手段による徐励解除を禁止する徐励解除禁止手段とを有することを特徴とする。
【０００８】
請求項２に記載の発電制御装置は、請求項１に記載の発電制御装置において、さらに、前記徐励解除禁止手段は、前記発電電圧又は前記励磁電流に基づいて徐励解除の禁止を解除することを特徴とする。
【０００９】
請求項３に記載の発電制御装置は、請求項２に記載の発電制御装置において、さらに、前記徐励解除禁止手段は、前記発電電圧が前記第１所定電圧を超えたとき、徐励解除の禁止を解除することを特徴とする。
【００１０】
請求項４に記載の発電制御装置は、請求項２に記載の発電制御装置において、さらに、前記徐励解除禁止手段は、前記励磁電流が所定電流を超えたとき、徐励解除の禁止を解除することを特徴とする。
【００１１】
請求項５に記載の発電制御装置は、請求項４に記載の発電制御装置において、さらに、前記励磁電流制御手段は、前記励磁電流の導通率を制御することで前記励磁電流を制御し、前記徐励解除禁止手段は、前記励磁電流の導通率に基づいて前記励磁電流の大きさを判定することを特徴とする。
【００１２】
請求項６に記載の発電制御装置は、請求項１〜５のいずれかに記載の発電制御装置において、さらに、車両に搭載された前記発電機の励磁電流を制御することを特徴とする。
【発明の効果】
【００１３】
請求項１に記載の発電制御装置によれば、内燃機関の始動を検出した後、最初の徐励中に、徐励の解除を禁止することができる。そのため、内燃機関の始動直後の最初の徐励中に、徐励の解除にともなって発生する発電機の駆動トルクの急変を抑えることができる。これにより、始動直後の不安定な状態においても、発電機の駆動トルクの急変による内燃機関の停止を防止することができる。
【００１４】
請求項２に記載の発電制御装置によれば、徐励解除の禁止を必要以上に継続させることなく、効率よく解除することができる。始動直後の内燃機関の回転は不安定である。その後、時間の経過とともに内燃機関の回転は安定する。始動直後は徐励により発電電圧及び励磁電流が徐々に増加していく。そのため、発電機の発電電圧や励磁電流に基づいて徐励解除の禁止を解除することにより、徐励解除の禁止を、必要以上に継続させることなく、効率よく解除することができる。
【００１５】
請求項３に記載の発電制御装置によれば、徐励解除禁止の解除時期を、発電電圧に基づいて確実に判定することができる。発電機の発電電圧が第１所定電圧を超えると、最初の徐励は終了する。その頃には、内燃機関の回転は充分に安定している。そのため、徐励解除禁止の解除時期を確実に判定することができる。
【００１６】
請求項４に記載の発電制御装置によれば、徐励解除禁止の解除時期を、励磁電流に基づいて確実に判定することができる。発電機の励磁電流が充分高い所定電流を超える頃に内燃機関の回転も充分に安定している。そのため、徐励解除禁止の解除時期を確実に判定することができる。
【００１７】
請求項５に記載の発電制御装置によれば、励磁電流の大きさを確実に判定することができる。発電機の励磁電流は励磁電流の導通率にともなって変化する。そのため、励磁電流の導通率に基づいて励磁電流の大きさを判定することができる。
【００１８】
請求項６に記載の発電制御装置によれば、車両において、発電機の駆動トルクの急変による、始動直後の内燃機関の停止を防止することができる。これにより、車両における内燃機関の始動性を向上させることができる。
【発明を実施するための最良の形態】
【００１９】
本実施形態は、本発明に係る発電制御装置を、車両に搭載されエンジンによって駆動される車両用発電機を制御する車両用発電制御装置に適用した例を示す。本実施形態における車両用発電制御装置の回路図を図１に、エンジン始動検出回路の回路図を図２に、徐励解除マスク回路の回路図を図３に示す。そして、図１〜図３を参照して構成、動作、効果の順で具体的に説明する。
【００２０】
まず、図１〜図３を参照して具体的構成について説明する。図１に示すように、車両用発電制御装置１（発電制御装置）は、車両用発電機２（発電機）に接続され、車両用発電機２は、バッテリ５に接続されている。また、車両用発電制御装置１は、ウォーニングランプ３とキースイッチ４を介してバッテリ５に接続されている。さらに、キースイッチ４のみを介してバッテリ５に接続されている。
【００２１】
ここで、車両用発電制御装置１に接続される車両用発電機２について、先に具体的構成を説明する。車両用発電機２は、エンジン（図略）の駆動力によって駆動され、車両用発電制御装置１によって励磁電流を制御されることで直流電圧を出力する機器である。車両用発電機２は、励磁巻線２０と、電機子巻線２１と、整流回路２２とから構成されている。
【００２２】
励磁巻線２０は、エンジンの駆動力によって回転する回転子（図略）に巻回された巻線である。励磁巻線２０は、励磁電流が流れることで磁束を発生する。励磁巻線２０は、車両用発電制御装置１に接続されている。
【００２３】
電機子巻線２１は、電機子鉄心（図略）に巻回された相巻線２１ａ〜２１ｃをＹ結線して構成される３相巻線である。電機子巻線２１は、励磁巻線２０の発生する磁束と鎖交することで３相交流電圧を発生する。相巻線２１ａ〜２１ｃの開放端子は、整流回路２２に接続されている。さらに、相巻線２１ａの開放端子は、車両用発電制御装置１に接続されている。
【００２４】
整流回路２２は、電機子巻線２１の発生した３相交流電圧を３相全波整流して、直流電圧に変換する回路である。整流回路２２は、ダイオード２２ａ〜２２ｆを３相ブリッジ接続して構成されている。３相ブリッジの上側のダイオード２２ａ〜２２ｃのカソードは、車両用発電制御装置１と、バッテリ５の正極端子に接続され、バッテリ５の負極端子は、車体に接地されている。また、下側のダイオード２２ｄ〜２２ｆのアノードは、車体に接地されている。さらに、ダイオード２２ａ、２２ｄの接続点、ダイオード２２ｂ、２２ｅの接続点、及びダイオード２２ｃ、２２ｆの接続点は、相巻線２１ａ〜２１ｃの開放端子にそれぞれ接続されている。
【００２５】
次に、車両用発電制御装置１について、具体的構成を説明する。車両用発電制御装置１は、車両用発電機２の発電電圧が予め設定されている調整電圧（第１所定電圧）になるように、車両用発電機２の励磁電流を制御する装置である。車両用発電制御装置１は、電源回路１００と、エンジン始動検出回路１０１と、ウォーニングランプ駆動用トランジスタ１０２と、分圧抵抗１０３、１０４と、発電電圧検出用コンパレータ１０５と、徐励回路１０６と、徐励解除用コンパレータ１０７と、徐励解除マスク回路１０８と、アンド回路１０９、１１１と、オア回路１１０と、チャージポンプ回路１１２と、励磁電流制御用トランジスタ１１３と、還流ダイオード１１４とから構成されている。ここで、分圧抵抗１０３、１０４と、発電電圧検出用コンパレータ１０５と、ＡＮＤ回路１１１と、チャージポンプ回路１１２と、励磁電流制御用トランジスタ１１３が、本発明における励磁電流制御手段である。徐励回路１０６と、ＯＲ回路１１０と、ＡＮＤ回路１１１が、本発明における徐励手段である。分圧抵抗１０３、１０４と、徐励解除用コンパレータ１０７と、ＡＮＤ回路１０９と、ＯＲ回路１１０と、ＡＮＤ回路１１１が、本発明における徐励解除手段である。エンジン始動検出回路１０１が、本発明における内燃機関始動検出手段である。徐励解除マスク回路１０８と、ＡＮＤ回路１０９が、本発明における徐励解除禁止手段である。
【００２６】
電源回路１００は、バッテリ５の出力電圧を、車両用発電制御装置１の作動に適した電圧に変換して供給する回路である。電源回路１００の入力端子は、キースイッチ４を介してバッテリ５の正極端子に接続されている。また、出力端子（図略）は、各回路に接続されている。
【００２７】
エンジン始動検出回路１０１は、相巻線２１ａの発生する電圧によって、エンジンの始動を検出する回路である。図２に示すように、エンジン始動検出回路１０１は、分圧抵抗１０１ａ、１０１ｂと、平滑用コンデンサ１０１ｃと、エンジン始動検出用コンパレータ１０１ｄとから構成されている。
【００２８】
分圧抵抗１０１ａ、１０１ｂは、車両用発電機２の発電電圧を分圧する抵抗である。分圧抵抗１０１ａと分圧抵抗１０１ｂは直列接続されている。直列接続された分圧抵抗１０１ａ、１０１ｂの一端は、図１における相巻線２１ａの開放端子に接続されている。また、他端は、車体に接地されている。
【００２９】
平滑用コンデンサ１０１ｃは、分圧抵抗１０１ａ、１０１ｂによって分圧された車両用発電機２の発電電圧を平滑する素子である。平滑用コンデンサ１０１ｃの一端は、分圧抵抗１０１ａ、１０１ｂの接続点に接続されている。また、他端は、車体に接地されている。
【００３０】
エンジン始動検出用コンパレータ１０１ｄは、分圧抵抗１０１ａ、１０１ｂによって分圧された相巻線２１ａの発電電圧を、予め設定されている第３基準電圧Ｖｒｅｆ３と比較する素子である。第３基準電圧Ｖｒｅｆ３は、エンジン始動検出電圧（第３所定電圧）に相当する電圧である。エンジン始動検出電圧は、エンジンの始動を検出するための閾値である。エンジンが始動すると、相巻線２１ａは、エンジンの回転数に応じた大きさの電圧を発生する。エンジン始動検出電圧は、エンジンが始動したときに相巻線２１ａが発生する電圧より低い電圧である。相巻線２１ａの発電電圧がエンジン始動検出電圧より高くなったとき、エンジンが始動したと判定する。第３基準電圧Ｖｒｅｆ３は、エンジン始動検出電圧を、分圧抵抗１０１ａ、１０１ｂの分圧比に基づいて変換した値に設定されている。エンジン始動検出用コンパレータ１０１ｄの反転入力端子は、平滑用コンデンサ１０１ｃの接続された分圧抵抗１０１ａ、１０１ｂの接続点に接続されている。また、非反転入力端子は、エンジン始動検出電圧Ｖｒｅｆ３に接続されている。さらに、エンジン始動検出用コンパレータ１０１ｄの出力端子は、図１におけるウォーニングランプ駆動用トランジスタ１０２と、徐励回路１０６と、徐励解除マスク回路１０８に接続されている。  エンジンが停止状態のとき、相巻線２１ａは電圧を発生しない。そのため、エンジン始動検出用コンパレータ１０１ｄの反転入力端子の電圧は、非反転入力端子に接続されている第３基準電圧Ｖｒｅｆ３より低くなり、エンジン始動検出用コンパレータ１０１ｄは、ハイレベル信号を出力する。これに対し、エンジンが始動すると、相巻線２１ａは電圧を発生する。エンジン始動検出用コンパレータ１０１ｄの反転入力端子の電圧は、非反転入力端子に接続されている第３基準電圧Ｖｒｅｆ３より高くなり、エンジン始動検出用コンパレータ１０１ｄは、ローレベル信号を出力する。
【００３１】
図１に戻り説明する。ウォーニングランプ駆動用トランジスタ１０２は、エンジン始動検出回路１０１の出力に基づいてスイッチングすることで、ウォーニングランプ３を点灯又は消灯するスイッチング素子である。ウォーニングランプ３は、キースイッチ４が投入された後のエンジンの停止状態を警告する表示灯である。ウォーニングランプ駆動用トランジスタ１０２のゲートは、エンジン始動検出回路１０１の出力端子に接続されている。また、ドレインは、ウォーニングランプ３に接続されている。さらに、ソースは車体に接地されている。
【００３２】
分圧抵抗１０３、１０４は、車両用発電機２の発電電圧を分圧する抵抗である。分圧抵抗１０３と分圧抵抗１０４は直列接続されている。直列接続された分圧抵抗１０３、１０４の一端は、ダイオード２２ａ〜２２ｃのカソードに接続されている。また、他端は、車体に接地されている。
【００３３】
発電電圧検出用コンパレータ１０５は、分圧抵抗１０３、１０４によって分圧された車両用発電機２の発電電圧を、予め設定されている第１基準電圧Ｖｒｅｆ１と比較する素子である。第１基準電圧Ｖｒｅｆ１は、調整電圧に相当する電圧である。調整電圧は、車両用発電機２の発電電圧の目標値である。第１基準電圧Ｖｒｅｆ１は、調整電圧を、分圧抵抗１０３、１０４の分圧比に基づいて変換した値に設定されている。発電電圧検出用コンパレータ１０５の反転入力端子は、分圧抵抗１０３、１０４の接続点に接続されている。また、非反転入力端子は、第１基準電圧Ｖｒｅｆ１に接続されている。さらに、発電電圧検出用コンパレータ１０５の出力端子は、徐励回路１０６と、徐励解除マスク回路１０８と、ＡＮＤ回路１１１に接続されている。車両用発電機２の発電電圧が調整電圧より低いとき、発電電圧検出用コンパレータ１０５の反転入力端子の電圧は、非反転入力端子に接続されている第１基準電圧Ｖｒｅｆ１より低くなり、発電電圧検出用コンパレータ１０５は、ハイレベル信号を出力する。これに対し、車両用発電機２の発電電圧が調整電圧より高くなると、発電電圧検出用コンパレータ１０５の反転入力端子の電圧は、非反転入力端子に接続されている第１基準電圧Ｖｒｅｆ１より高くなり、発電電圧検出用コンパレータ１０５は、ローレベル信号を出力する。
【００３４】
徐励回路１０６は、エンジン始動検出回路１０１と、発電電圧検出用コンパレータ１０５の出力に基づいて徐励のための所定周期のパルス信号を出力する回路である。徐励回路１０６の入力端子は、エンジン始動検出回路１０１の出力端子に接続されている。また、別の入力端子は、発電電圧検出用コンパレータ１０５の出力端子に接続されている。さらに、出力端子は、徐励解除マスク回路１０８と、ＯＲ回路１１０に接続されている。エンジン始動検出回路１０１からハイレベル信号が出力されると、徐励回路１０６は、ハイレベルの比率（以下、オンデューティという）が、例えば、約２０％のパルス信号を出力する。これに対し、エンジン始動検出回路１０１からローレベル信号が、さらに、発電電圧検出用コンパレータ１０５からハイレベル信号が出力されると、徐励回路１０６は、パルス信号のオンデューティを徐々に増加させる。
【００３５】
徐励解除用コンパレータ１０７は、分圧抵抗１０３、１０４によって分圧された車両用発電機２の発電電圧を、予め設定されている第２基準電圧Ｖｒｅｆ２と比較する素子である。第２基準電圧Ｖｒｅｆ２は、徐励解除電圧（第２所定電圧）に相当する電圧である。徐励解除電圧は、徐励の解除を判定するための閾値である。徐励解除電圧は、調整電圧より低く、バッテリ５に接続された電気負荷（図略）が作動可能な最低電圧より高い電圧である。徐励中に、車両用発電機２の発電電圧が、徐励解除電圧より低くなったとき、徐励を解除する。第２基準電圧Ｖｒｅｆ２は、徐励解除電圧を、分圧抵抗１０３、１０４の分圧比に基づいて変換した値に設定されている。徐励解除用コンパレータ１０７の反転入力端子は、分圧抵抗１０３、１０４の接続点に接続されている。また、非反転端子は、第２基準電圧Ｖｒｅｆ２に接続されている。さらに、出力端子は、ＡＮＤ回路１０９に接続されている。  車両用発電機２の発電電圧が徐励解除電圧より低いとき、徐励解除用コンパレータ１０７の反転入力端子の電圧は、非反転入力端子に接続されている第２基準電圧Ｖｒｅｆ２より低くなり、徐励解除用コンパレータ１０７は、徐励の解除を指示するハイレベル信号を出力する。これに対し、車両用発電機２の発電電圧が徐励解除電圧より高くなると、徐励解除用コンパレータ１０７の反転入力端子の電圧は、非反転入力端子に接続されている第２基準電圧Ｖｒｅｆ２より高くなり、徐励解除用コンパレータ１０７は、ローレベル信号を出力する。
【００３６】
徐励解除マスク回路１０８は、エンジン始動検出回路１０１の出力に基づいて、徐励の解除をマスクするための信号を出力する回路である。図３に示すように、徐励解除マスク回路１０８は、導通率判定回路１０８ａと、ＮＯＴ回路１０８ｂと、ＯＲ回路１０８ｃと、ＲＳフリップフロップ回路１０８ｄとから構成されている。
【００３７】
導通率判定回路１０８ａは、徐励回路１０６の出力するパルス信号のオンデューティを判定する回路である。徐励回路１０６の出力するパルス信号のオンデューティが、予め設定されている基準オンデューティより大きいとき、導通率判定回路１０８ａは、ハイレベル信号を出力し、それ以外のとき、ローレベル信号を出力する。基準オンデューティは、車両用発電機２の励磁電流の大きさに相当する励磁電流の導通率である。始動直後は、始動装置への電力供給などにより、バッテリの充電状態が悪くなっており、また、エンジンの回転数も低いことから、発電機が最大限に発電しても、発電電圧が調整電圧にまで達しないこともある。そのような場合でも、オンデューティを判定することで、確実に徐励解除の禁止を解除することができる。導通率判定回路１０８ａの入力端子は、図１における徐励回路１０６の出力端子に接続され、出力端子は、ＯＲ回路１０８ｃの入力端子にそれぞれ接続されている。ＮＯＴ回路１０８ｂの入力端子は、図１における発電電圧検出用コンパレータ１０５の出力端子に、出力端子は、ＯＲ回路１０８ｃの別の入力端子にそれぞれ接続され、ＯＲ回路１０８ｃの出力端子は、ＲＳフリップフロップ１０８ｄのセット端子に接続されている。また、ＲＳフリップフロップ１０８ｄのリセット端子は、図１におけるエンジン始動検出回路１０１の出力端子に接続されている。さらに、出力端子は、図１におけるＡＮＤ回路１０９の入力端子に接続されている。エンジン始動検出回路１０１からハイレベル信号が出力されると、ＲＳフリップフロップ１０８ｄはリセットされ、ローレベル信号を出力する。これに対し、発電電圧検出用コンパレータ１０５からローレベル信号が出力されるか、又は、徐励回路１０６から出力されるパルス信号に基づいて、導通率判定回路１０８ａがハイレベル信号を出力すると、ＲＳフリップフロップ１０８ｄはセットされ、ハイレベル信号を出力する。
【００３８】
ＡＮＤ回路１０９は、徐励解除マスク回路１０８の出力に基づいて、徐励解除用コンパレータ１０７の出力を、選択的に出力する回路である。ＡＮＤ回路１０９の入力端子は、図３におけるＲＳフリップフロップ１０８ｄの出力端子に接続されている。また、別の入力端子は、徐励解除用コンパレータ１０７の出力端子に接続されている。さらに、出力端子は、ＯＲ回路１１０に接続されている。徐励解除マスク回路１０８からハイレベル信号が出力されると、ＡＮＤ回路１０９は、徐励解除用コンパレータ１０７の出力をそのまま出力する。これに対し、徐励解除マスク回路１０８からローレベル信号が出力されると、ＡＮＤ回路１０９は、徐励解除用コンパレータ１０７の出力にかかわらず、ローレベル信号を出力する。
【００３９】
ＯＲ回路１１０は、ＡＮＤ回路１０９の出力に基づいて、徐励回路１０６の出力を選択的に出力する回路である。ＯＲ回路１１０の入力端子は、徐励回路１０６の出力端子に接続されている。また、別の入力端子は、ＡＮＤ回路１０９の出力端子に接続されている。さらに、出力端子は、ＡＮＤ回路１１１に接続されている。ＡＮＤ回路１０９からハイレベル信号が出力されると、ＯＲ回路１１０は、徐励回路１０６の出力にかかわらず、ハイレベル信号を出力する。これに対し、ＡＮＤ回路１０９からローレベル信号が出力されると、ＯＲ回路１１０は、徐励回路１０６の出力するパルス信号をそのまま出力する。
【００４０】
ＡＮＤ回路１１１は、発電電圧検出用コンパレータ１０５の出力に基づいて、ＯＲ回路１１０の出力を選択的に出力する回路である。ＡＮＤ回路１１１の入力端子は、発電電圧検出用コンパレータ１０５の出力端子に接続されている。また、別の入力端子は、ＯＲ回路１１０の出力端子に接続されている。さらに、出力端子は、チャージポンプ回路１１２に接続されている。発電電圧検出用コンパレータ１０５からハイレベル信号が出力されると、ＡＮＤ回路１１１は、ＯＲ回路１１０の出力をそのまま出力する。これに対し、発電電圧検出用コンパレータ１０５からローレベル信号が出力されると、ＡＮＤ回路１１１は、ＯＲ回路１１０の出力にかかわらず、ローレベル信号を出力する。
【００４１】
チャージポンプ回路１１２は、ＡＮＤ回路１１０の出力を、励磁電流制御用トランジスタ１１３がスイッチングできる高電圧に変換する回路である。チャージポンプ回路１１２の入力端子は、ＡＮＤ回路１１０の出力端子に接続されている。また、出力端子は、励磁電流制御用トランジスタ１１３に接続されている。
【００４２】
励磁電流制御用トランジスタ１１３は、チャージポンプ回路１１２の高電圧の出力に基づいてスイッチングすることで、励磁巻線２０に流れる励磁電流を制御するスイッチング素子である。励磁電流制御用トランジスタ１１３がスイッチングすることで、励磁電流の導通率が制御され、励磁電流を制御することができる。励磁電流制御用トランジスタ１１３のゲートは、チャージポンプ回路１１２の出力端子に接続されている。また、ドレインは、ダイオード２２ａ〜２２ｃのカソードに接続されている。さらに、ソースは、励磁巻線２０の一端に接続され、励磁巻線２０の他端は車体に接地されている。
【００４３】
還流ダイオード１１４は、励磁電流制御用トランジスタ１１３がオフしたときに、励磁巻線２０に発生する還流電流を流す素子である。還流ダイオード１１４のカソードは、励磁巻線２０の一端に接続されている。また、アノードは、励磁巻線２０の他端に接続されている。
【００４４】
次に、図１及び図３を参照して具体的動作について説明する。図１において、キースイッチ４が投入されると、電源回路１００にバッテリ５が接続される。電源回路１００は、バッテリ５の出力電圧を作動に適した電圧に変換して、各回路に供給する。電圧が供給されると、各回路は作動を開始する。
【００４５】
エンジンが始動する直前、相巻線２１ａは電圧を発生していない。そのため、エンジン始動検出回路１０１は、ハイレベル信号を出力する。エンジン始動検出回路１０１の出力がハイレベルになると、ウォーニングランプ駆動用トランジスタ１０２がオンし、ウォーニングランプ３が点灯する。このとき、車両用発電機２も電圧を発生していない。そのため、発電電圧検出用コンパレータ１０５は、ハイレベル信号を出力する。発電電圧検出用コンパレータ１０５の出力がハイレベルになると、徐励回路１０６は、オンデューティが、例えば、約２０％のパルス信号を出力する。また、徐励解除マスク回路１０８は、ローレベル信号を出力する。徐励解除マスク回路１０８の出力がローレベルになると、ＡＮＤ回路１０９は、徐励解除用コンパレータ１０７の出力にかかわらず、ローレベル信号を出力する。これにより、徐励解除が禁止される。
【００４６】
ＯＲ回路１１０は、ＡＮＤ回路１０９の出力がローレベルであるため、徐励回路１０６の出力するオンデューティが約２０％のパルス信号をそのまま出力する。ＡＮＤ回路１１１は、発電電圧検出用コンパレータ１０５の出力がハイレベルであるため、ＯＲ回路１１０の出力するオンデューティが約２０％のパルス信号をそのまま出力する。チャージポンプ回路１１２は、ＡＮＤ回路１１１の出力するオンデューティが約２０％のパルス信号に従って、励磁電流制御用トランジスタ１１３をスイッチングする。これにより、励磁巻線２０に、パルス信号に対応したほぼ一定の励磁電流が流れる。
【００４７】
始動装置によってエンジンが回転し始めると、相巻線２１ａに電圧が発生し始める。この発電電圧がエンジン始動検出電圧より高くなると、エンジン始動検出回路１０１は、ローレベル信号を出力する。エンジン始動検出回路１０１の出力がローレベルになると、ウォーニングランプ駆動用トランジスタ１０２はオフし、ウォーニングランプ３は消灯する。このとき、車両用発電機２の発電電圧は、充分に上昇しておらず調整電圧より低い。そのため、発電電圧検出用コンパレータ１０５の出力は、ハイレベルのままである。エンジン始動検出回路１０１の出力がローレベル、かつ、発電電圧検出用コンパレータ１０５の出力がハイレベルになると、徐励回路１０６は、パルス信号のオンデューティを徐々に増加させるが、まだ、基準オンデューティより小さい。そのため、エンジン始動検出回路１０１の出力がローレベルとなっても、徐励解除マスク回路１０８内のＲＳフリップフロップ１０８ｄはセットされず、出力はローレベルのままである。徐励解除マスク回路１０８の出力がローレベルであるため、ＡＮＤ回路１０９も、徐励解除用コンパレータ１０７の出力にかかわらず、ローレベルのままである。これにより、徐励解除の禁止が継続される。
【００４８】
ＯＲ回路１１０は、ＡＮＤ回路１０９の出力がローレベルであるため、徐励回路１０６の出力するオンデューティが徐々に増加するパルス信号をそのまま出力する。ＡＮＤ回路１１１は、発電電圧検出用コンパレータ１０５の出力がハイレベルであるため、ＯＲ回路１１０の出力するオンデューティが徐々に増加するパルス信号をそのまま出力する。チャージポンプ回路１１２は、オンデューティが徐々に増加するパルス信号に従って、励磁電流制御用トランジスタ１１３をスイッチングする。これにより、励磁巻線２０に流れる励磁電流が、パルス信号のオンデューティとともに徐々に増加し、徐励が行われる。それにともなって、発電電圧も徐々に増加する。
【００４９】
その後、エンジンの回転数が上昇し、車両用発電機２の発電電圧も上昇し、調整電圧より高くなる。そのため、発電電圧検出用コンパレータ１０５は、ローレベル信号を出力する。エンジン始動検出回路１０１の出力がローレベル、かつ、発電電圧検出用コンパレータ１０５の出力がローレベルになると、徐励解除マスク回路１０８は、ハイレベル信号を出力する。また、車両用発電機２の発電電圧が調整電圧より高くなる前に、徐励回路１０６から出力されるパルス信号のオンデューティが、基準オンデューティより大きくなっても、同様に、徐励解除マスク回路１０８は、ハイレベル信号を出力する。徐励解除マスク回路１０８の出力がハイレベルになると、ＡＮＤ回路１０９は、徐励解除用コンパレータ１０７の出力をそのまま出力する。これにより、徐励解除の禁止が解除される。
【００５０】
徐励解除の禁止が解除された後、電気負荷（図略）の消費電力の増加によって、車両用発電機２の発電電圧が徐励解除電圧より低くなると、徐励解除用コンパレータ１０７は、ハイレベル信号を出力する。徐励解除マスク回路１０８の出力がハイレベルであるため、ＡＮＤ回路１０９は、徐励解除用コンパレータ１０７の出力するハイレベル信号をそのまま出力する。ＯＲ回路１１０は、ＡＮＤ回路１０９の出力がハイレベルであるため、徐励回路１０６の出力にかかわらず、ＡＮＤ回路１０９の出力するハイレベル信号をそのまま出力する。ＡＮＤ回路１１１は、ＯＲ回路１１０の出力がハイレベルであるため、発電電圧検出用コンパレータ１０５の出力をそのまま出力する。これにより、徐励が解除される。チャージポンプ回路１１２は、発電電圧検出用コンパレータ１０５の出力に従って、徐励することなく、励磁電流制御用トランジスタ１１３をオンする。これにより、励磁巻線２０に流れる励磁電流が急激に増加し、発電電圧が上昇する。
【００５１】
以降、エンジンが停止し、エンジン始動検出回路１０１の出力がローレベルになるまでは、徐励解除マスク回路１０８の出力は、ハイレベルのままであるため、徐励の解除が禁止されることはない。
【００５２】
最後に具体的効果について説明する。本実施形態によれば、エンジン始動を検出した後、最初の徐励中に、徐励の解除を禁止することができる。そのため、エンジンの始動直後の最初の徐励中に、徐励の解除にともなって発生する車両用発電機２の駆動トルクの急変を抑えることができる。これにより、始動直後の不安定な状態においても、車両用発電機２の駆動トルクの急変によるエンジンの停止を防止することができる。
【００５３】
本実施形態によれば、車両用発電機２の発電電圧が、エンジン始動検出電圧を超えたとき、エンジンが始動したと判定することができる。車両用発電機２の発電電圧は、エンジンの回転数にともなって変化する。そのため、発電電圧をエンジン始動検出電圧と比較することで、エンジンの始動を確実に検出することができる。
【００５４】
本実施形態によれば、徐励解除禁止の解除時期を、発電電圧及び励磁電流に相当する導通率に基づいて判定することができる。そのため、徐励解除の禁止を必要以上に継続させることなく、効率よく解除することができる。始動直後のエンジンの回転は不安定である。その後、時間の経過とともにエンジンの回転は安定する。始動直後は徐励により発電電圧が徐々に増加していく。そのため、発電電圧及び励磁電流に相当する導通率に基づいて、徐励解除の禁止を効率よく解除することができる。
【００５５】
本実施形態によれば、車両において、車両用発電機２の駆動トルクの急変による、始動直後のエンジンの停止を防止することができる。これにより、車両におけるエンジンの始動性を向上させることができる。
【００５６】
なお、本実施形態では、相巻線２１ａの発電電圧の大きさに基づいてエンジンの始動を検出している例を挙げているが、これに限られるものではない。例えば、相巻線２１ａの発電電圧は交流であるので、その周波数に基づいてエンジンの始動を検出するようにしてもよい。この場合、図１におけるエンジン始動検出回路として、図２に示す回路構成の代わりに、図４に示すような回路構成によっても実現することができる。
【図面の簡単な説明】
【００５７】
【図１】本実施形態における車両用発電制御装置の回路図を示す。
【図２】図１におけるエンジン始動検出回路の回路図を示す。
【図３】図１における徐励解除マスク回路の回路図を示す。
【図４】図１におけるエンジン始動検出回路の別の実施形態の回路図を示す。
【符号の説明】
【００５８】
１・・・車両用発電制御装置（発電制御装置）、１００・・・電源回路、１０１・・・エンジン始動検出回路、１０１ａ、１０１ｂ・・・分圧抵抗、１０１ｃ・・・平滑用コンデンサ、１０１ｄ・・・エンジン始動検出用コンパレータ、１０２・・・ウォーニングランプ駆動用トランジスタ、１０３、１０４・・・分圧抵抗、１０５・・・発電電圧検出用コンパレータ、１０６・・・徐励回路、１０７・・・徐励解除用コンパレータ、１０８・・・徐励解除マスク回路、１０８ａ・・・導通率判定回路、１０８ｂ・・・ＮＯＴ回路、１０８ｃ・・・ＯＲ回路、１０８ｄ・・・ＲＳフリップフロップ回路、１０９、１１１・・・ＡＮＤ回路、１１０・・・ＯＲ回路、１１２・・・チャージポンプ回路、１１３・・・励磁電流制御用トランジスタ、１１４・・・還流ダイオード、２・・・車両用発電機（発電機）、２０・・・励磁巻線、２１・・・電機子巻線、２１ａ〜２１ｃ・・・相巻線、２２・・・整流回路、２２ａ〜２２ｆ・・・ダイオード、３・・・ウォーニングランプ、４・・・キースイッチ、５・・・バッテリ
【図１】
2006271096.tif 000003
【図２】
2006271096.tif 000004
【図３】
2006271096.tif 000005
【図４】
2006271096.tif 000006